(57)【特許請求の範囲】
【請求項１】
太陽電池モジュールを固定支持するための太陽電池モジュール設置架台であって、
前記太陽電池モジュールの縁端側部分を載置する第１載置部を有する架台本体と、前記架台本体に一体に固定可能な押さえ部材と、台座部材を備え、
前記第１載置部と連続する部分には、前記架台本体の一部を加工して形成される、又は、前記架台本体に他部材を固定して形成される当接壁部が設けられており、
前記当接壁部は、前記第１載置部に載置された前記太陽電池モジュールの前記当接壁部に近接する方向への移動を規制するものであり、
前記押さえ部材は、前記太陽電池モジュールを上方から押圧するための第１押圧板部を備え、前記台座部材を介して前記架台本体に一体に固定されるものであり、
前記太陽電池モジュールの縁端側部分を前記第１載置部に載置した状態で、前記押さえ部材を前記架台本体に固定することにより、前記第１押圧板部、前記当接壁部及び前記第１載置部と隣接する部分に、前記太陽電池モジュールの縁端側部分を保持するための第１保持凹部が形成され、
さらに前記台座部材の上側に、前記太陽電池モジュールの縁端側部分を保持可能な第２保持凹部が形成されることを特徴とする太陽電池モジュール設置架台。
【請求項２】
一の前記太陽電池モジュールの縁端側部分と、他の前記太陽電池モジュールの縁端側部分を支持可能であり、他の前記太陽電池モジュールの縁端側部分を載置する第２載置部をさらに備え、
前記押さえ部材は、他の前記太陽電池モジュールの縁端側部分を上方から押圧するための第２押圧板部を備えており、
一の前記太陽電池モジュールの縁端側部分を前記第１載置部に載置し、他の前記太陽電池モジュールの縁端側部分を前記第２載置部に載置した状態で、前記押さえ部材を前記架台本体に直接又は間接的に固定することにより、一の前記太陽電池モジュールの縁端側部分を保持するための前記第１保持凹部が形成され、且つ、前記第２押圧板部及び前記第２載置部と隣接する部分に他の前記太陽電池モジュールの縁端側部分を保持するための第２保持凹部が形成されることを特徴とする請求項１に記載の太陽電池モジュール設置架台。
【請求項３】
前記太陽電池モジュールを傾斜した姿勢で固定支持するものであり、
前記第２載置部は、前記第１載置部よりも高位置に形成され、
前記第１押圧板部は、一の前記太陽電池モジュールを保持した状態で、一の前記太陽電池モジュールの縁端側から中央側へ突出するものであって、
前記第１押圧板部の上方には、前記第１押圧板部の突出方向先端側に向かって高さが低くなる傾斜面が形成されていることを特徴とする請求項２に記載の太陽電池モジュール設置架台。
【請求項４】
他の前記太陽電池モジュールの縁端側部分を載置するための台座部材を備え、
前記架台本体に前記台座部材を固定することで前記第２載置部が形成されるものであり、前記押さえ部材が前記台座部材を介して前記架台本体に一体に固定されることを特徴とする請求項２又は３に記載の太陽電池モジュール設置架台。
【請求項５】
立板状の壁状部を有すると共に前記架台本体に一体に固定可能な添板部材をさらに備え、
前記添板部材は、前記第１保持凹部又は前記第２保持凹部に保持される前記太陽電池モジュールの縁端側部分の側方外側となる位置であり、且つ、当該縁端側部分に位置する前記太陽電池モジュールの辺を縁側辺としたとき、当該縁側辺の長手方向の外側となる位置に配されており、
前記第１押圧板部及び前記第１載置部と、前記第２押圧板部及び前記第２載置部の少なくとも一方の組により、前記太陽電池モジュールの上下方向への移動を規制し、
前記添板部材によって前記太陽電池モジュールの側方への移動を規制することを特徴とする請求項２乃至４のいずれかに記載の太陽電池モジュール設置架台。
【請求項６】
請求項１乃至５のいずれかに記載の太陽電池モジュール設置架台を使用して、前記太陽電池モジュールを固定するための太陽電池モジュールの取付方法であって、
前記太陽電池モジュールを前記第１載置部に載置させ、その縁端側部分を前記当接壁部に当接させる工程と、
前記当接壁部と当接した前記太陽電池モジュールの縁端側部分を回動支点として前記太陽電池モジュールを回動させる工程と、
前記第１載置部に載置された前記太陽電池モジュールの縁端側部分に位置する辺を縁側辺としたとき、前記太陽電池モジュールの縁端側部分を前記第１載置部に載置させた状態で、前記縁側辺の長手方向に沿う方向で前記太陽電池モジュールをスライド移動させ、前記太陽電池モジュールを設置予定位置に配置する工程を実施することを特徴とする太陽電池モジュールの取付方法。
【発明の詳細な説明】
【技術分野】
【０００１】
本発明は、太陽電池モジュールを設置するための太陽電池モジュール設置架台に関するものであり、そのような太陽電池モジュール設置架台を使用した太陽電池モジュールの取付方法に関するものである。
【背景技術】
【０００２】
建屋の屋上や屋外の土地に架台を設置し、この架台上に太陽電池モジュールを固定することで形成される太陽光発電システムが知られている。この種の太陽光発電システムでは、複数の架台を所定の間隔を空けて並列させると共に、互いに平行となるように配している。そして、架台間に跨るように太陽電池モジュールを固定している。
【０００３】
このような太陽光発電システム構築するための架台として、例えば、特許文献１に開示されたものがある。
特許文献１では、複数のコンクリート製の柱材を敷地に立設し、その上にＣ型鋼を格子状に組み合わせて形成する架台を固定している。そして、架台のうち、平面視で対向する２つの端部のうちの一方側を支持する柱材は、他方側を支持する柱材よりもその高さが高くなっている。このことから、架台は、支柱上に傾斜した状態で取り付けられた状態となっている。
【０００４】
さらに、この架台の横桟部分に対し、取付金具を介してそれぞれの太陽電池パネルを固定している。すなわち、所定間隔を空けて並列する複数の横桟部分のうち、隣接する２つの横桟部分に対して太陽電池モジュールを固定している。
より詳細に説明すると、架台が傾斜した姿勢で取り付けられることから、隣接する２つの横桟部分の一方は、他方に対して低位置に配された状態となっている。さらに、２つの横桟部分の上面は、いずれも一方から他方に向かう方向で高くなるように傾斜した状態となっている。そして、太陽電池モジュールの平面視で対向する２辺のうちの一方側を横桟部分の一方に固定し、他方側を横桟部分の他方に固定することで、太陽電池モジュールが傾斜した状態で固定されることとなる。つまり、２つの横桟部分の間を跨ぐように太陽電池モジュールが固定された状態となり、横桟部分の一方に固定された部分が他方に固定された部分よりも低位置となることで、太陽電池モジュールが傾斜した状態となっている。
【先行技術文献】
【特許文献】
【０００５】
【特許文献１】特開２０１４−２０１９４３号公報
【発明の概要】
【発明が解決しようとする課題】
【０００６】
ところで、特許文献１のような架台では、メンテナンス等により太陽電池モジュールを架台から着脱する際、太陽電池モジュールが誤って滑り落ちてしまう可能性がある。
すなわち、太陽電池モジュールの平面視で対向する２辺のそれぞれが、いずれも傾斜面に取り付けられることから、取付金具を外した際、そのはずみで太陽電池モジュールが架台から誤って滑り落ちてしまう可能性がある。また、太陽電池モジュールを取り付けるときも同様に、作業者が取付金具の固定作業中に手を滑らせてしまう等の理由により、太陽電池モジュールが誤って滑り落ちてしまう可能性がある。
【０００７】
このように太陽電池モジュールが滑り落ちてしまうと、太陽電池モジュールの破損の原因となるので、好ましくない。
【０００８】
そこで本発明は、着脱時における太陽電池モジュールの破損を防止可能であり、簡単に太陽電池モジュールを敷設可能な太陽電池モジュール設置架台、及び太陽電池モジュールの取付方法を提供することを課題とする。
【課題を解決するための手段】
【０００９】
上記課題を解決するための請求項１に記載の発明は、太陽電池モジュールを固定支持するための太陽電池モジュール設置架台であって、前記太陽電池モジュールの縁端側部分を載置する第１載置部を有する架台本体と、前記架台本体に一体に固定可能な押さえ部材と、台座部材を備え、前記第１載置部と連続する部分には、前記架台本体の一部を加工して形成される、又は、前記架台本体に他部材を固定して形成される当接壁部が設けられており、前記当接壁部は、前記第１載置部に載置された前記太陽電池モジュールの前記当接壁部に近接する方向への移動を規制するものであり、前記押さえ部材は、前記太陽電池モジュールを上方から押圧するための第１押圧板部を備え、前記台座部材を介して前記架台本体に一体に固定されるものであり、前記太陽電池モジュールの縁端側部分を前記第１載置部に載置した状態で、前記押さえ部材を前記架台本体に固定することにより、前記第１押圧板部、前記当接壁部及び前記第１載置部と隣接する部分に、前記太陽電池モジュールの縁端側部分を保持するための第１保持凹部が形成され、さらに前記台座部材の上側に、前記太陽電池モジュールの縁端側部分を保持可能な第２保持凹部が形成されることを特徴とする太陽電池モジュール設置架台である。
【００１０】
本発明の太陽電池モジュール設置架台は、太陽電池モジュールの縁端側部分を載置する第１載置部を有しており、この第１載置部と連続する位置に当接壁部が設けられている。
そして、この当接壁部により、第１載置部に載置された太陽電池モジュールの当接壁部に近接する方向への移動を規制可能となっている。言い換えると、太陽電池モジュールの縁端部分が第１載置部に載置された状態から、第１載置部と連続する位置に形成された当接壁部へ向かって移動したとしても、その移動が阻止される構造となっている。
このことから、例えば、傾斜した姿勢で配置される太陽電池モジュールのうち、低位置となる縁端側部分を第１載置部に載置した状態で、太陽電池モジュールが傾斜方向に沿って滑り出したとしても、第１載置部と連続する位置に形成された当接壁部により、その移動が阻止される。すなわち、太陽電池モジュールの一方側への移動を当接壁部によって阻止可能な構造とすることにより、太陽電池モジュールの意図しない移動を防止可能となっている。このことにより、太陽電池モジュールが誤って滑り落ちてしまうといった事故を防止可能となっている。
【００１１】
さらに、本発明の太陽電池モジュールの設置架台では、太陽電池モジュールの縁端側部分を第１載置部に載置した状態で、押さえ部材を架台本体に固定することにより、第１押圧板部、当接壁部及び第１載置部と隣接する部分に、太陽電池モジュールの縁端側部分を保持するための第１保持凹部が形成される構造となっている。言い換えると、第１押圧板部、当接壁部及び第１載置部が第１保持凹部を形成するための部分としても機能する。
このことから、太陽電池モジュールの縁端側部分を第１載置部に載置したまま、当接壁部に当接するまで移動させ、その後に押さえ部材を架台本体に固定するだけで、太陽電池モジュールの縁端側部分が第１保持凹部に挿入された状態となる。
すなわち、太陽電池モジュールの意図しない移動を防止するための当接壁部を、太陽電池モジュールの位置合わせにも使用することができる。つまり、太陽電池モジュールの縁端側部分を当接壁部に当接するまで移動させるだけで、第１保持凹部の深さ方向（第１保持凹部の形成時に開口部分から当接壁部に向かう方向）における位置合わせが可能となる。付言すると、この位置合わせ作業は、押さえ部材を固定していない状態で実施できるので、押さえ部材によって太陽電池モジュールの移動が妨げられることがなく、容易に実施可能となっている。
加えて、先に凹部を形成してから、太陽電池モジュールの縁端側部分を凹部に挿入するような構造とは異なり、太陽電池モジュールの縁端側部分と凹部の開口部分を位置合わせするような煩雑な作業を必要としない。これらのことから、太陽電池モジュールの取付作業を簡易化することが可能となっている。
【００１２】
請求項２に記載の発明は、一の前記太陽電池モジュールの縁端側部分と、他の前記太陽電池モジュールの縁端側部分を支持可能であり、他の前記太陽電池モジュールの縁端側部分を載置する第２載置部をさらに備え、前記押さえ部材は、他の前記太陽電池モジュールの縁端側部分を上方から押圧するための第２押圧板部を備えており、一の前記太陽電池モジュールの縁端側部分を前記第１載置部に載置し、他の前記太陽電池モジュールの縁端側部分を前記第２載置部に載置した状態で、前記押さえ部材を前記架台本体に直接又は間接的に固定することにより、一の前記太陽電池モジュールの縁端側部分を保持するための前記第１保持凹部が形成され、且つ、前記第２押圧板部及び前記第２載置部と隣接する部分に他の前記太陽電池モジュールの縁端側部分を保持するための第２保持凹部が形成されることを特徴とする請求項１に記載の太陽電池モジュール設置架台である。
【００１３】
かかる構成によると、押さえ部材を固定するだけで、第１保持凹部と第２保持凹部のそれぞれに異なる太陽電池モジュールの縁端側部分が保持された状態となる。すなわち、一の太陽電池モジュールの縁端側部分を第１保持凹部させると同時に、他の前記太陽電池モジュールの縁端側部分も保持させることが可能となる。すなわち、先に凹部を形成してから、太陽電池モジュールの縁端側部分を凹部に挿入するような構造とは異なり、一の太陽電池モジュールの縁端側部分と凹部の開口部分を位置合わせして挿入させた後、他の太陽電池モジュールの縁端側部分を他の凹部の開口部分を位置合わせして挿入させるといった作業を必要としない。このことから、太陽電池モジュールの取付作業を簡易化することが可能となる。
【００１４】
請求項３に記載の発明は、前記太陽電池モジュールを傾斜した姿勢で固定支持するものであり、前記第２載置部は、前記第１載置部よりも高位置に形成され、前記第１押圧板部は、一の前記太陽電池モジュールを保持した状態で、一の前記太陽電池モジュールの縁端側から中央側へ突出するものであって、前記第１押圧板部の上方には、前記第１押圧板部の突出方向先端側に向かって高さが低くなる傾斜面が形成されていることを特徴とする請求項２に記載の太陽電池モジュール設置架台である。
【００１５】
かかる構成によると、比較的低位置に配される第１載置部に載置された太陽電池モジュールに、この太陽電池モジュールを上方から押圧する押さえ部材の影がかかり難い構造とすることができる。すなわち、太陽電池モジュールに影がかかることに起因する出力低下を防止することができる。
【００１６】
本発明は、他の前記太陽電池モジュールの縁端側部分を載置するための台座部材を備え、前記架台本体に前記台座部材を固定することで前記第２載置部が形成されるものであり、前記押さえ部材が前記台座部材を介して前記架台本体に一体に固定されることが好ましい（請求項４）。
【００１７】
請求項５に記載の発明は、立板状の壁状部を有すると共に前記架台本体に一体に固定可能な添板部材をさらに備え、前記添板部材は、前記第１保持凹部又は前記第２保持凹部に保持される前記太陽電池モジュールの縁端側部分の側方外側となる位置であり、且つ、当該縁端側部分に位置する前記太陽電池モジュールの辺を縁側辺としたとき、当該縁側辺の長手方向の外側となる位置に配されており、前記第１押圧板部及び前記第１載置部と、前記第２押圧板部及び前記第２載置部の少なくとも一方の組により、前記太陽電池モジュールの上下方向への移動を規制し、前記添板部材によって前記太陽電池モジュールの側方への移動を規制することを特徴とする請求項２乃至４のいずれかに記載の太陽電池モジュール設置架台である。
【００１８】
かかる構成によると、太陽電池モジュールをより強固に固定することができる。
【００１９】
請求項６に記載の発明は、請求項１乃至５のいずれかに記載の太陽電池モジュール設置架台を使用して、前記太陽電池モジュールを固定するための太陽電池モジュールの取付方法であって、前記太陽電池モジュールを前記第１載置部に載置させ、その縁端側部分を前記当接壁部に当接させる工程と、前記当接壁部と当接した前記太陽電池モジュールの縁端側部分を回動支点として前記太陽電池モジュールを回動させる工程と、前記第１載置部に載置された前記太陽電池モジュールの縁端側部分に位置する辺を縁側辺としたとき、前記太陽電池モジュールの縁端側部分を前記第１載置部に載置させた状態で、前記縁側辺の長手方向に沿う方向で前記太陽電池モジュールをスライド移動させ、前記太陽電池モジュールを設置予定位置に配置する工程を実施することを特徴とする太陽電池モジュールの取付方法である。
【００２０】
本発明の太陽電池モジュールの取付方法においても、上記したように、着脱時に太陽電池モジュールが誤って滑り落ちてしまうといった事故を防止可能であり、太陽電池モジュールの取付作業を簡易化することができる。
すなわち、上記した各工程を実施することで、簡単に太陽電池モジュールを設置予定位置に配置することが可能となり、太陽電池モジュールの縁端側部分と凹部の開口部分を位置合わせするような煩雑な作業を必要とせず、第１保持凹部に太陽電池モジュールの縁端側部分を保持させた状態とすることができる。
【発明の効果】
【００２１】
本発明によると、着脱時に太陽電池モジュールが誤って滑り落ちてしまう事故を防止可能であり、これに起因する太陽電池モジュールの破損を防止できる。さらに、煩雑な位置合わせ作業を必要としないので、太陽電池モジュールの取付作業を簡易化することができる。
【図面の簡単な説明】
【００２２】
【図１】本発明の実施形態にかかる太陽電池モジュール設置架台によって太陽電池モジュールを取り付けた様子を示す斜視図である。
【図２】図１の太陽電池モジュールを示す斜視図である。
【図３】図１の架台本体を示す斜視図であり、（ａ）は前方からみた様子を示し、（ｂ）は後方からみた様子を示す。
【図４】図１の固定部材を示す分解斜視図であり、押さえ部材の内部を一部透過して示す。
【図５】図１の中間添板部材を示す図であり、（ａ）は斜視図、（ｂ）は内部を透過して示す平面図、（ｃ）は内部を透過して示す側面図である。
【図６】図１の端部添板部材を示す図であり、（ａ）は斜視図、（ｂ）は内部を透過して示す平面図、（ｃ）は内部を透過して示す側面図である。
【図７】図１の太陽電池モジュール設置架台を使用して太陽電池モジュールを設置する際の手順を示す斜視図であり、設置位置に架台本体を固定していく様子を示す斜視図である。
【図８】図７の状態を別方向からみた様子を示す斜視図である。
【図９】図７、図８に続いて架台本体に台座部材を取り付ける様子を示す斜視図であり、（ａ）、（ｂ）の順に取り付ける。
【図１０】図７、図８に続いてそれぞれの架台本体に台座部材を固定した様子を示す斜視図である。
【図１１】図１０に続いて、第１架台本体に端部添板部材を取り付ける様子を示す斜視図であり、（ａ）、（ｂ）の順に取り付ける。
【図１２】図１１に続いて第１架台本体に端部添板部材を固定した様子を示す斜視図であり、一部を拡大して示す。
【図１３】図１２に続いて太陽電池モジュールを設置予定位置に配置していく様子を示す斜視図である。
【図１４】図１３のαで示す部分を拡大して示す正面図である。
【図１５】図１３の状態から太陽電池モジュールを回動させた際の太陽電池モジュールの前端側近傍の様子を示す説明図であり、（ａ）、（ｂ）の順に回動させる。
【図１６】図１３に続いて、２つの架台本体の上に第１段目の太陽電池モジュールを載置させた様子を示す説明図であり、一部を拡大して示す。
【図１７】図１６の状態から太陽電池モジュールをスライド移動させる様子を示す斜視図である。
【図１８】太陽電池モジュールをスライド移動させた際の太陽電池モジュールの前端側近傍の様子を示す説明図であり、（ａ）、（ｂ）の順に移動させる。
【図１９】図１７に続いて中間添板部材を第１架台本体に取り付ける様子を示す斜視図であり、一部を拡大して示す。
【図２０】第１架台本体に取り付けた中間添板部材の周辺を示す斜視図である。
【図２１】図１９に続いて台座部材に押さえ部材を取り付ける様子を示す斜視図であり、一部を拡大して示す。
【図２２】図２１の拡大部分を示す断面図である。
【図２３】図２２に続いて台座部材に押さえ部材を取り付けた様子を示す断面図である。
【図２４】図２１に続いて、第１段目における２つ目の太陽電池モジュールを設置予定位置に配置していく様子を示す斜視図である。
【図２５】図２４に続いて、第１段目における２つ目の太陽電池モジュールをスライド移動させる様子を示す斜視図である。
【図２６】図２５に続いて、第１架台本体に固定した台座部材に押さえ部材を取り付け、第１架台本体に端部添板部材を取り付ける様子を示す斜視図であり、一部を拡大して示す。
【図２７】図２６に続いて、第２架台本体に端部添板部材を固定する様子を示す斜視図である。
【図２８】図２７に続いて、第２段目における１つ目の太陽電池モジュールを設置予定位置に配置していく様子を示す斜視図である。
【図２９】図２８に続いて、２つの架台本体の上に第２段目に属する太陽電池モジュールを載置させた様子を示す説明図であり、一部を拡大して示す。
【図３０】図２９に続いて、第２段目における１つ目の太陽電池モジュールをスライド移動させる様子を示す斜視図である。
【図３１】図３０に続いて、第２架台本体に中間添板部材を固定する様子を示す斜視図であり、一部を拡大して示す。
【図３２】第２架台本体に固定された中間添板部材の周辺を示す平面図である。
【図３３】図３１に続いて、第２架台本体に固定された台座部材の一部に押さえ部材を固定する様子を示す斜視図であり、一部を拡大して示す。
【図３４】第２架台本体に固定された台座部材に押さえ部材を固定する様子を示す断面図である。
【図３５】図３４に続いて、台座部材に押さえ部材が固定された様子を示す断面図である。
【図３６】図３３に続いて、第２段目における２つ目の太陽電池モジュールを設置予定位置に配し、第２架台本体に固定された台座部材に押さえ部材を取り付け、さらに２つ目の端部添板部材を固定する様子を示す斜視図であり、一部を拡大して示す。
【図３７】図３６に続いて、第２段目の太陽電池モジュールの後端側に押さえ部材、端部添板部材、中間添板部材を取り付ける様子を示す斜視図である。
【図３８】図３７のβで示す部分を拡大して示す平面図である。
【図３９】設置位置に架台本体を固定した様子を示す斜視図であり、複数の架台本体を前後方向及び左右方向で並列配置させた状態を示す。
【図４０】図３９で示される架台本体のうち、左右方向で隣接配置される２つの架台本体に中間添板部材を取り付ける様子を示す図であり、（ａ）は取り付け前の様子を示す斜視図であり、（ｂ）は取り付け後の様子を示す平面図である。
【図４１】図１とは異なる実施形態の架台を背面側からみた様子を示す分解斜視図である。
【図４２】図４１の押さえ部材を示す図であり、（ａ）は斜視図、（ｂ）平面図、（ｃ）側面図である。
【図４３】図４１で示される架台によって太陽電池モジュールを保持した様子を示す断面図である。
【発明を実施するための形態】
【００２３】
以下、本発明の各実施形態について詳細に説明する。なお、以下の説明において、特に断りがない限り、上下左右前後の位置関係は、図１で示される通常の設置位置を基準に説明する。
【００２４】
本実施形態の太陽電池モジュール１の取付構造は、図１で示されるように、建屋の屋根面やコンクリート基礎から立設する支柱といった取付対象物（図示しない）に架台３（太陽電池モジュール設置架台）を介して太陽電池モジュール１を取り付ける構造である。すなわち、取付対象物（図示しない）に直接又はレール部材等の取付用部材（図示しない）を介して間接的に架台３を固定し、この架台３に太陽電池モジュール１を取り付ける構造となっている。
この架台３は、架台本体４、固定部材５、中間添板部材６（添板部材）、端部添板部材７（添板部材）を備えた構造となっている。
【００２５】
太陽電池モジュール１は、図２で示されるように、太陽電池パネル８の周縁部分にフレーム９を取り付けて形成される略長方形平板状の部材となっている。
なお、太陽電池パネル８は、公知のものと同様の構造であって、樹脂製の裏面封止材と、受光面を形成するガラス基板の間に光電変換素子を備えた太陽電池セルを封止して形成される部材となっている。また、太陽電池パネル８の裏面側の部分には、端子ボックス（図示しない）が固定されており、この端子ボックスから二本のケーブル（図示しない）が外方へ延設されている。このケーブルは、一方が正極用のケーブルであり、他方が負極用ケーブルとなっている。
【００２６】
架台本体４は、図３（ａ）で示されるように、Ｃ型鋼等を加工して形成される長尺状の部材であり、平面視した形状が略長方形平板状の下側取付板部１０と、下側取付板部１０の短手方向における一端側を上方に折り曲げて形成される立板状の正面板部１１と、正面板部１１の上端を後方に折り曲げて形成される略長方形平板状の上側載置板部１２と、上側載置板部１２の後端を下方に折り曲げて形成される後方立板部１３を備えた構造となっている。
【００２７】
なお、下側取付板部１０には、図３（ｂ）で示されるように、架台本体４を取付対象物や取付用部材（図示しない）に固定するための取付孔部１５が設けられている。この取付孔部１５は、下側取付板部１０（架台本体４）の長手方向で所定の間隔を空けた複数個所に形成されており、それぞれの取付孔部１５には、下側取付板部１０を厚さ方向（上下方向）に貫通する１又は複数の貫通孔が設けられている。つまり、取付孔部１５は、１又は複数の貫通孔の群によって形成される部分となっている。
【００２８】
また、正面板部１１にも、長手方向で所定の間隔を空けた複数個所に取付孔１６が形成されている。この取付孔１６は、正面板部１１を厚さ方向（前後方向）に貫通する貫通孔となっている。
【００２９】
さらに、上側載置板部１２にも上側載置板部１２（架台本体４）の長手方向で所定の間隔を空けた複数個所に取付孔部１７が形成されている。そして、それぞれの箇所の取付孔部１７では、上側載置板部１２を厚さ方向（上下方向）に貫通する１又は複数の貫通孔が設けられている。つまり、この取付孔部１７もまた、１又は複数の貫通孔の群によって形成される部分となっている。
【００３０】
ここで、図３（ａ）で示されるように、正面板部１１に形成される取付孔１６と、上側載置板部１２の取付孔部１７の一部は、架台本体４の長手方向における位置が同一の位置となるように形成されている。言い換えると、架台本体４の長手方向で所定間隔を空けた複数個所のそれぞれでは、前端面と上面のそれぞれに取り付け用の貫通孔が形成された状態となっている。
【００３１】
固定部材５は、図４で示されるように、台座部材２０と、押さえ部材２１を備えた構造となっている。
【００３２】
台座部材２０は、大別して、角筒状の台座本体部２５と、台座本体部２５の前端下部から下方へ突出する立板状の取付板部２６と、台座本体部２５の後方に位置する支持脚部２７を備えた構造となっている。
そして、台座本体部２５の前面と取付板部２６の前面が同一平面を形成しており、この平面が台座部材２０の前端面となっている。また、取付板部２６の上面と支持脚部２７の上面もまた同一平面を形成しており、この平面が台座部材２０の上端面となっている。さらに、台座部材２０の前端面と上端面は、略直角に交わる平面となっている。
【００３３】
さらに、取付板部２６の後端面と台座本体部２５下面が側面視で略Ｌ字状になるように連続しており、台座部材２０の前端側下方に段差状凹部２８を形成している。この段差状凹部２８は、取付板部２６の後方であり台座本体部２５の下方に位置する部分に形成される空間であり、下方側、後方側、左端側、右端側のそれぞれが開放された空間となっている。
そして、取付板部２６には、下端近傍であり、左右方向における中心近傍に取付板部２６を厚さ方向（前後方向）に貫通する取付孔３０が設けられている。この取付孔３０は、取付板部２６の前方に位置する空間と、段差状凹部２８を連通する孔でもある。
【００３４】
支持脚部２７は、その上端側に位置する平板状の上板部３１と、上板部３１の後端から下方に垂下された立板状の板状脚部３２（当接壁部）を備えた構造となっている。
ここで、板状脚部３２の下端面と、台座本体部２５の下端面はその高さが同一の高さとなっている。そして、上板部３１の下方側であり板状脚部３２の前方側には、台座本体部２５、上板部３１、板状脚部３２によって囲まれた取付用空間３３が形成されている。
【００３５】
取付用空間３３は、下方側、左端側、右端側のそれぞれが開放され左右方向に延びる空間となっている。より詳細には、この取付用空間３３は、台座部材２０の左端から右端まで延びる空間となっている。
【００３６】
さらに、上板部３１の長手方向（左右方向）の中心近傍には、上板部３１を厚さ方向（上下方向）に貫通する取付用孔３５が設けられている。この取付用孔３５は、上板部３１（台座部材２０）の上側と、取付用空間３３を連通する孔でもある。
【００３７】
押さえ部材２１は、断面形状が略Ｌ字状の筒体である本体部４０と、本体部４０の前端且つ上端となる部分から前方に突出する平板状の前方押板部４１（第２押圧板部）とを備えた構造となっている。
【００３８】
本体部４０は、平板状の底板部４３と、底板部４３の短手方向における一端側を上方に折り曲げて形成される前側立壁部４４と、底板部４３の短手方向における他端側を上方に折り曲げて形成される後側立壁部４５と、前側立壁部４４の上端と連続して底板部４３と上下方向で離間対向する平板状の天面部４６と、後側立壁部４５の上端から後方に突出する後方押板部４７（第１押圧板部）と、天面部４６の後端と後方押板部４７の後端を繋ぐように設けられた傾斜板部４８を備えた構造となっている。
【００３９】
そして、この底板部４３、前側立壁部４４、天面部４６、傾斜板部４８、後方押板部４７、後側立壁部４５が多角環状（略Ｌ字環状）に連続した状態となっている。つまり、これらによって囲まれた部分に、断面形状が略Ｌ字状で左右方向に延びる取付用空間５０が形成された状態となっている。
すなわち、本体部４０は、大別して、上方に延びた部分と、後方に延びた部分とを有しており、その上端部分が後方に屈曲して延びたような形状となっている。
【００４０】
前側立壁部４４の高さは、後側立壁部４５の高さよりも高くなっている。したがって、後方押板部４７は、押さえ部材２１の上端に位置する前方押板部４１よりも低位置に設けられた状態となっている。
【００４１】
天面部４６の上面は、前方押板部４１と同一平面を形成しており、この平面が押さえ部材２１の上端面となっている。
【００４２】
後方押板部４７は、略全ての部分が天面部４６の後端よりも後方であり、且つ、傾斜板部４８の下方に位置した状態となっている。
【００４３】
また、傾斜板部４８は、水平面に対して３０度乃至８０度（本実施形態では４５度）傾斜しており、その上面は、後方に向かうにつれて高さが低くなっていく傾斜面となっている。
【００４４】
ここで、天面部４６の左右方向の中心近傍には、天面部４６を厚さ方向（上下方向）に貫通する天面側取付孔５３が設けられている。さらに、底板部４３の左右方向の中心近傍にもまた、底板部４３を厚さ方向（上下方向）に貫通する底側取付孔５４が設けられている。
天面側取付孔５３と底側取付孔５４は、いずれも開口形状が円形であって、その中心軸及び開口径が同一の貫通孔となっている。すなわち、天面側取付孔５３と底側取付孔５４は、平面視で重なるようにそれぞれ設けられている。この天面側取付孔５３と底側取付孔５４は、いずれも外部と取付用空間５０を連通する孔となっている。
【００４５】
中間添板部材６は、図５で示されるように、断面形状が略コ字状で延びる添板本体部６０と、添板本体部６０の下端から延びる取付脚部６１とを備えた構造となっている。
【００４６】
添板本体部６０は、長方形平板状の天板部６５と、天板部６５の短手方向における両端部のそれぞれを下方側に折り返して形成される２つの壁状部６６とを有しており、これらが一体となって形成される部材となっている。
【００４７】
２つの壁状部６６は、いずれも立板状の部分であって、天板部６５と略垂直に交わった状態となっており、左右方向に間隔を空けて配された状態となっている。すなわち、２つの壁状部６６は、その内側面同士が左右方向で離間対向するように配されている。
【００４８】
ここで、壁状部６６の側面には、複数（本実施形態では２つ）の貫通孔部６８が形成されている。この貫通孔部６８は、壁状部６６を厚さ方向（左右方向）に貫通する貫通孔であり、且つ、その周縁部分が外側に盛り上がるようにバーリング加工が施されたものとなっている。
【００４９】
１つの壁状部６６に形成される貫通孔部６８は、いずれもその高さ方向の位置が同一となっており、壁状部６６の長手方向（前後方向）で所定間隔を空けて配されている。
そして、添板本体部６０を側面視したとき、一方の壁状部６６に形成される貫通孔部６８と、他方の壁状部６６に形成される貫通孔部６８とが重なった状態となっている。言い換えると、一方の壁状部６６に形成される貫通孔部６８のそれぞれは、他方の壁状部６６に形成される貫通孔部６８のそれぞれと左右方向で離間対向した状態となっている。
【００５０】
取付脚部６１は、２つの突出片６９から形成される部分であり、突出片６９は、いずれも壁状部６６の下端から外側に突出する長方形平板状の部分となっている。
この２つの突出片６９は、壁状部６６の長手方向（前後方向）における中心近傍となる部分にその基端側が位置しており、僅かに間隔を空けて互いに平行となるように突出している。このことから、一方の壁状部６６に形成される取付脚部６１（２つの突出片６９）と、もう一方の壁状部６６に形成される取付脚部６１は、互いに離れる方向に突出した状態となっている。
【００５１】
端部添板部材７は、図６で示されるように、外形が立板状となる１枚の壁状部６６と、壁状部６６の下端から延びる取付脚部６１を備えた構造となっている。
なお、壁状部６６と取付脚部６１は、上述した中間添板部材６のそれと同様の構造であるため、重複する説明を省略する。すなわち、端部添板部材７は、中間添板部材６の一部を切り取ったような形状となっている。
【００５２】
続いて、本実施形態の太陽電池モジュール１の取付構造を構築するための太陽電池モジュール１の取付方法について詳細に説明する。
なお、以下の説明では、図１のＡで示される端部を前端、図１のＢで示される端部を後端、図１のＣで示される端部を左端、図１のＤで示される端部を右端として説明する。
すなわち、傾斜した状態で固定される太陽電池モジュール１を基準として、低位置側を前方とし高位置側を後方とする。つまり、全ての太陽電池モジュール１は、前端側から後端側に向かうにつれて高さが高くなるように傾斜した状態で取り付けられることとなる。
さらに、最も前側で左右方向に並列する太陽電池モジュール１の列を第１段目とし、後端側に向かうにつれて第２段目、第３段目、・・・と称する。また、最も前方に位置する架台本体４を第１架台本体４ａと称し、後端側に向かうにつれて第２架台本体４ｂ、第３架台本体４ｃ、・・・と称する（図１等参照）。
【００５３】
まず、図７で示されるように、建屋の屋根面や支柱等の取付対象物（図示しない）、又は取付対象物に取り付けたレール部材等の取付用部材（図示しない）に対し、架台本体４を固定していく。
このとき、例えば、図８で示されるように、取付孔部１５に形成された取付孔と取付用部材等の取付孔（図示しない）とを重ね合わせ、ボルトの軸部を挿通し、下側取付板部１０の下方側でナットを締めることによって固定してもよい。また、これに限らず、屋根面等の取付対象物（図示しない）から突出するアンカーボルト等を取付孔部１５に形成された取付孔に挿通し、下側取付板部１０の上方でナットを締めることで固定してもよい。
つまり、取付孔部１５に形成された取付孔にネジ、釘、ボルト等の締結要素を挿通することにより、架台本体４を取付対象物や取付用部材（図示しない）に固定した状態とする。
なお、締結要素とは、ネジ、釘、ボルト等の上位概念である。また、取付対象物は、屋根面や支柱の他、アンカー部材を一体に固定したコンクリート基礎であってもよい。
【００５４】
このことにより、複数の架台本体４が前後方向で所定の間隔を空けて並列した状態となり、それぞれの架台本体４が取付対象物や取付用部材（図示しない）に固定された状態となる。このとき、それぞれの架台本体４の長手方向は、前後方向と直交する方向（左右方向）となっている。
【００５５】
続いて、図９で示されるように、架台本体４に対して台座部材２０を固定する。
具体的には、台座部材２０を架台本体４の前方から近接させ、台座部材２０の取付板部２６と架台本体４の正面板部１１を重ね合わせ、台座部材２０の台座本体部２５を架台本体４の上側載置板部１２に載置させた状態とする。すなわち、台座部材２０の段差状凹部２８と架台本体４の前端上側に形成される角部分とが接触した状態とする。
【００５６】
このとき、取付板部２６の取付孔３０と、正面板部１１の取付孔１６とが前後方向で重なる状態とする。また、台座部材２０の上板部３１に形成された取付用孔３５と、上側載置板部１２の取付孔部１７に形成された取付孔とが上下方向で重なる状態とする。この状態で、取付板部２６の取付孔３０と架台本体４の取付孔１６に締結要素を挿通し、台座部材２０を架台本体４に一体に固定する。
【００５７】
同様の手順で、１つの架台本体４に対して複数の台座部材２０を固定していく。
そして、図１０で示されるように、複数の架台本体４のそれぞれにおいて、台座部材２０が架台本体４の長手方向で所定間隔を空けて並列した状態となり、それぞれの台座部材２０が架台本体４に対して一体に固定された状態となる。
このとき、それぞれの架台本体４に取り付けられた台座部材２０が前後方向で所定の間隔空けて配された状態となっている。すなわち、複数の台座部材２０が前後方向で所定の間隔を空けて並列することで形成される列が複数形成され、且つ、この各列が架台本体４の長手方向で所定の間隔を空けて複数配された状態となっている。
【００５８】
続いて、図１１、図１２で示されるように、第１架台本体４ａの長手方向における片側端部近傍（左端近傍）に、端部添板部材７を固定する。
具体的には、端部添板部材７を第１架台本体４ａの上方から近接させ、取付脚部６１を形成する２つの突出片６９の下面を第１架台本体４ａの上側載置板部１２に載置させた状態とする。このとき、２つの突出片６９の間に形成される空間と、上側載置板部１２の取付孔部１７に形成された取付孔とが上下方向で重なる状態とする。この状態で、締結要素の頭部を２つの突出片６９の上方に位置させ、２つの突出片６９の間に形成される空間と上側載置板部１２の取付孔に締結要素の軸部を挿通することにより、端部添板部材７を第１架台本体４ａに一体に固定する。
【００５９】
第１架台本体４ａへの端部添板部材７の取り付けが完了した後、図１３で示されるように、第１段目の太陽電池モジュール１をそれぞれ設置予定位置に配置していく。
すなわち、第１段目に属するそれぞれの太陽電池モジュール１を架台本体４の長手方向における一端側（左端側）から他方端部側（右端側）へ向かって順次配置していく。
【００６０】
より詳細には、図１３で示されるように、太陽電池モジュール１の前端部を第１架台本体４ａの上側載置板部１２に上方から接触させた状態とし、後端側を第１架台本体４ａの上面よりも上側に位置させた状態とする。
ここで、太陽電池モジュール１の前端部（縁端側部分）は、太陽電池モジュール１の前後方向で対向する２辺のうちの片側１辺（前側辺であり縁側辺）よりの端部であり、後端部は、他方側１辺（後側辺であり縁側辺）よりの端部となっている。すなわち、ここでは、太陽電池モジュール１の対向する２辺のうちの片側よりに位置する端部を上側載置板部１２に上方から接触させ、その後方上側に、他方側よりに位置する端部を位置させた状態としている。このことから、太陽電池モジュール１は、設置時よりも急角度の傾斜姿勢を取った状態となっている。
【００６１】
このとき、太陽電池モジュール１の前端部は、上側載置板部１２のうち、台座部材２０よりも後方側の位置であり、且つ、第１架台本体４ａに固定した端部添板部材７から架台本体４の長手方向（左右方向）に離れた位置（図１４参照）に接触している。
言い換えると、太陽電池モジュール１の側端面と端部添板部材７の内側面が所定距離Ｌだけ離れた状態となっている。
【００６２】
この状態で、太陽電池モジュール１を前方に押しつつ、太陽電池モジュール１の後端側の部分を下方へと移動させる。このことにより、図１５（ａ）で示されるように、太陽電池モジュール１の前端側部分の一部であり、下端よりも上方に位置する部分が台座部材２０の後端上側に接触した状態となる。すなわち、前方へと移動する太陽電池モジュール１が、板状脚部３２の上側に当接することでその移動を停止する。さらに、太陽電池モジュール１の前端側部分は、そのまま台座部材２０と接触した部分を回動中心として回動し、その下端側の部分が前方へと移動する。
【００６３】
このことにより、図１５（ｂ）で示されるように、太陽電池モジュール１の前端面のうちで下方側の部分が、台座部材２０の後端面に後方から面接触し、太陽電池モジュール１の下面のうちで前方側に位置する部分が、上側載置板部１２に上方から面接触した状態となる。つまり、太陽電池モジュール１の前端下方に位置する角部分が、台座部材２０の後端面と上側載置板部１２によって形成される段差部分と接触した状態となる。
【００６４】
このとき、太陽電池モジュール１の後端側の部分は、図１６で示されるように、後方に位置する第２架台本体４ｂに固定した台座部材２０の上に載置された状態となる。
すなわち、前後方向で隣接する２つの架台本体４のうち、前方側に位置する第１架台本体４ａの上面に太陽電池モジュール１の前端側の部分が載置され、後方側に位置する第２架台本体４ｂに固定した台座部材２０の上に太陽電池モジュール１の後端側の部分が載置された状態となる。
【００６５】
つまり、太陽電池モジュール１は、前後方向で離れた位置に配される２つの架台本体４に支持された状態となり、２つの架台本体４の間に形成された空間を跨ぐように配置された状態となる。このとき、太陽電池モジュール１の前端側を設置する第１架台本体４ａの上面が、後端側を設置する台座部材２０の上面より僅かに低位置に配されていることから、太陽電池モジュール１は傾斜した姿勢で配置されることとなる。この太陽電池モジュール１の傾斜角度（設置角度）は水平面に対して１０度以下としており、本実施形態では０．８度となっている。すなわち、本実施形態の太陽電池モジュール１の取付構造は、太陽電池モジュール１を極めて低勾配で設置する構造となっている。
【００６６】
ここで、上記したように、太陽電池モジュール１の前端側の部分は、前方側に位置する第１架台本体４ａの上面に載置された状態となっている。言い換えると、第１架台本体４ａの上面のうち台座部材２０よりも後方側の部分が太陽電池モジュール１の前端側を載置するための第１載置部２２として機能する。
【００６７】
また、この第１載置部２２の前方であって、この第１載置部２２と連続する部分には、第１載置部２２から上方に突出するように台座部材２０の板状脚部３２が配された状態となっている。そして、この板状脚部３２の後端面が太陽電池モジュール１の前方への移動を阻止する当接壁部として機能する。
【００６８】
より詳細に説明すると、太陽電池モジュール１が傾斜した姿勢で配置されていることから、この太陽電池モジュール１が傾斜方向下側へ移動してしまう可能性がある。すなわち、この太陽電池モジュール１が意図せずに前方側へ向かって移動してしまうおそれがある。しかしながら、本実施形態では太陽電池モジュール１の前方側を載置している部分の前方に、壁状の部分（板状脚部３２）が形成されており、この太陽電池モジュール１の前方側への移動を阻止することが可能となっている。すなわち、２つの架台本体４の上に載置した太陽電池モジュール１の意図しない移動により、太陽電池モジュール１が架台本体４の上から落下してしまうことが無く、これに起因する太陽電池モジュール１の破損を防止可能となっている。
【００６９】
また、太陽電池モジュール１の後端側の部分は、第２架台本体４ｂに固定した台座部材２０の上面であり、台座本体部２５の上面に載置された状態となっている。言い換えると、台座部材２０の上面が太陽電池モジュール１の後端側を載置するための第２載置部２９として機能する
【００７０】
このように、前方側に位置する第１架台本体４ａの上面に太陽電池モジュール１の前端側の部分が載置され、後方側に位置する第２架台本体４ｂに固定した台座部材２０の上に太陽電池モジュール１の前端側の部分が載置された状態から（図１６参照）、太陽電池モジュール１を左右方向（架台本体４の長手方向）にスライド移動させる（図１７参照）。
つまり、本実施形態では、太陽電池モジュール１を設置予定に配置する際、前後方向の位置合わせを実施した後、左右方向の位置合わせを実施している。なお、前後方向の位置合わせは、上記したように、太陽電池モジュール１を板状脚部３２に当接するまで移動させ、この移動と共に後端側を下方へ回動させるだけでよく、極めて容易に実施可能となっている。
【００７１】
また、左右方向の位置合わせでは、図１７、図１８で示されるように、太陽電池モジュール１を端部添板部材７に近接する方向へスライド移動させていき、太陽電池モジュール１の側端部分と壁状部６６の内側面が面接触した状態とする。つまり、太陽電池モジュール１の側端部分（左端部分）が端部添板部材７の壁状部６６に当接するまでの間、太陽電池モジュール１を左右方向、すなわち、太陽電池モジュール１の４辺のうちで前側に位置する辺の長手方向に沿って移動させていく。
このことにより、第１段目における１つ目の太陽電池モジュール１が設置予定位置に配された状態となる。
【００７２】
続いて、図１９で示されるように、１つ目の太陽電池モジュール１の前方側端のうち、端部添板部材７と接触していない側端部の外側（右端部よりさらに右側）に、中間添板部材６を取り付ける。
より詳細には、中間添板部材６を第１架台本体４ａの上方から近接させ、２つの取付脚部６１（図５等参照）のそれぞれの下面を上側載置板部１２に載置させた状態とする。そして、１方の取付脚部６１に属する２つの突出片６９の間に形成される空間と、上側載置板部１２の取付孔部１７に形成された取付孔とが上下方向で重なる状態とする。この状態で、締結要素の頭部を２つの突出片６９の上方に位置させつつ、２つの突出片６９の間に形成される空間と上側載置板部１２の取付孔に締結要素の軸部を挿通することにより、中間添板部材６を第１架台本体４ａに一体に固定する。
【００７３】
このとき、図２０で示されるように、中間添板部材６の添板本体部６０のうち一方側の外側面、詳細には、一方側の壁状部６６の外側面が太陽電池モジュール１の前方側端と接触した状態となる。すなわち、図２１で示されるように、太陽電池モジュール１の前方部分が端部添板部材７と中間添板部材６によって挟まれた状態となる。
【００７４】
この状態で、太陽電池モジュール１の前方部分と接触する台座部材２０に押さえ部材２１を固定する。
すなわち、図２２、図２３で示されるように、押さえ部材２１を台座部材２０の上方から近接させ、押さえ部材２１の底板部４３を台座部材２０の上板部３１に載置させた状態とする。このとき、押さえ部材２１の天面側取付孔５３、底側取付孔５４、台座部材２０の取付用孔３５、第１架台本体４ａの取付孔部１７に形成された取付孔を上下方向で重なった状態とし、これらにボルト等の締結要素を挿通することで、押さえ部材２１、台座部材２０、第１架台本体４ａを一体に固定する。なお、台座部材２０は、前方部分が取付板部２６の取付孔３０に挿通された締結要素によって固定され、後方部分が上板部３１に形成された取付用孔３５に挿通された締結要素によって固定された状態となる。
【００７５】
このことにより、図２３で示されるように、押さえ部材２１の後方押板部４７及び後側立壁部４５、台座部材２０の板状脚部３２、第１架台本体４ａの上側載置板部１２によって囲まれた部分に、太陽電池モジュール１の前端側部分を挿入可能な前側保持凹部７３（第１保持凹部）が形成された状態となる。言い換えると、後方押板部４７の下方であり、後側立壁部４５及び板状脚部３２の後方であり、さらに上側載置板部１２の上方に位置する空間に、太陽電池モジュール１の前端側部分が挿入された状態となる。
【００７６】
このように、太陽電池モジュール１の前端側部分が前側保持凹部７３に嵌め込まれた状態では、太陽電池モジュール１の前端側部分は、上側載置板部１２の上に載置され、後方押板部４７によって上方から押さえつけられた状態となっている。このとき、太陽電池モジュール１の前端面は、後側立壁部４５及び板状脚部３２の後端面と接触した状態となっている。
【００７７】
このことにより、図２４で示されるように、第１段目に属する太陽電池モジュール１のうち、最も左端（端部添板部材７が固定された端部）よりに位置する太陽電池モジュール１の前端側部分が、第１架台本体４ａに固定された状態となる。
【００７８】
続いて、第１段目において最初に配置した１つ目の太陽電池モジュール１と隣接する位置に、第１段目における２つ目の太陽電池モジュール１を配置する。
【００７９】
この２つ目の太陽電池モジュール１もまた、１つ目の太陽電池モジュール１と同様に、まず、その前端部分を上側載置板部１２うちで台座部材２０を取り付けた部分よりも後方側に接触させた状態とする。そして、この太陽電池モジュール１の前端部分が接触する部分は、第１架台本体４ａに固定した中間添板部材６から架台本体４の長手方向（左右方向）に離れた位置（図２４参照）となっている。
つまり、２つ目の太陽電池モジュール１の側端面と中間添板部材６の内側面が所定距離Ｌ２だけ離れた状態となっている。
【００８０】
このとき、上記した１つ目の太陽電池モジュール１と同様に、２つ目の太陽電池モジュール１を前方に押しつつ、後端側の部分を下方へと移動させる。そして、前方側に位置する第１架台本体４ａの上面に２つ目の太陽電池モジュール１の前端側の部分が載置され、後方側に位置する第２架台本体４ｂに固定した台座部材２０の上に２つ目の太陽電池モジュール１の後端側の部分が載置された状態とする（図１６参照）。
【００８１】
この状態で、図２５で示されるように、２つ目の太陽電池モジュール１を左右方向（架台本体４の長手方向）にスライド移動させ、２つ目の太陽電池モジュール１の側端部分（左端部分）が中間添板部材６の壁状部６６に当接した状態とする。つまり、２つ目の太陽電池モジュール１を中間添板部材６に近接する方向へと移動させていき、２つ目の太陽電池モジュール１の側端部分と壁状部６６（図２０等参照）の側面が面接触した状態とする。このことにより、２つ目の太陽電池モジュール１が設置予定位置に配された状態となる。
【００８２】
なお、本実施形態では、第１段目の太陽電池モジュール１として、２つの太陽電池モジュール１を左右方向で並列させる構造としている。このため、このように２つ目の太陽電池モジュール１が設置予定位置に配されることで、第１段目の太陽電池モジュール１が全て設置予定位置に配された状態となる。
【００８３】
続いて、図２６で示されるように、２つ目の太陽電池モジュール１の前方部分と接触する台座部材２０に押さえ部材２１を固定する。すなわち、上記した押さえ部材２１の固定手順と同様の手順で、２つ目の太陽電池モジュール１の前端部分と接触する台座部材２０に押さえ部材２１を固定する。
【００８４】
さらに、このように第１段目の太陽電池モジュール１が全て設置予定位置に配された状態で、第１架台本体４ａに２つ目の端部添板部材７を固定する。
より詳細には、第１架台本体４ａの長手方向における両端部のうち、１つ目の太陽電池モジュール１の設置前に固定した端部添板部材７が位置する端部とは異なる端部（右端側）の近傍に、端部添板部材７を固定する。
【００８５】
この２つ目の端部添板部材７の固定手順は、上記した１つ目の端部添板部材７の固定手順と同様の手順であるので、重複する説明を省略する。
【００８６】
このように、２つ目の端部添板部材７を固定することで、第１段目に属する全ての太陽電池モジュール１の前端側の部分は、第１架台本体４ａの長手方向における片側端部側に位置する１つ目の端部添板部材７と、他方端部側に位置する２つ目の端部添板部材７の間に位置した状態となる。さらに、第１段目に属する太陽電池モジュール１のうち、隣り合う２つの太陽電池モジュール１の間には中間添板部材６が位置した状態となる。
【００８７】
つまり、第１段目に属するそれぞれの太陽電池モジュール１の前端側の部分は、前側保持凹部７３に嵌め込まれた状態であり（図２３参照）、且つ、端部添板部材７と中間添板部材６によって挟まれた状態となっている。
すなわち、太陽電池モジュール１の前端側部分における側面の外側であり、太陽電池モジュール１の前端側に位置する辺（前側辺であり縁側辺）の長手方向（左右方向）における外側となる部分に、端部添板部材７、中間添板部材６が配された状態となっている。そして、太陽電池モジュール１の前端側部分は、所定の部分が前側保持凹部７３に嵌め込まれ、さらにその全体が端部添板部材７と中間添板部材６によって挟まれた状態となっている。このことにより、太陽電池モジュール１の前端側部分を第１架台本体４ａに対して強固に固定することが可能となっている。
【００８８】
また、このように第１段目に属する太陽電池モジュール１が全て設置予定位置に配された状態で、隣接する太陽電池モジュール１の間のケーブル接続作業を実施する。
なお、このケーブル接続作業は、必ずしもこの時点で実施する必要はなく、第２段目の太陽電池モジュール１を全て配置してから実施してもよく、第２段目の太陽電池モジュール１を配置する途中で実施してもよい。すなわち、このケーブル接続作業は適宜のタイミングで実施してもよく、以下の説明におけるケーブル接続作業も同様である。
【００８９】
続いて、第２段目に属する太陽電池モジュール１を設置予定位置に配置しつつ、第１段目に属する太陽電池モジュール１を固定していく。
【００９０】
まず、図２７で示されるように、第２架台本体４ｂに対し、その長手方向における片側近傍（右端近傍）に端部添板部材７を固定する。
ここで、上記したように、第１架台本体４ａには、第１架台本体４ａの左端近傍に１つ目の端部添板部材７を取り付け、右端近傍に２つ目の端部添板部材７を取り付けた。これに対し、第２架台本体４ｂに端部添板部材７を固定する際には、まず右端側近傍に１つ目の端部添板部材７を取り付け、その後、左端近傍に２つ目の端部添板部材７を取り付ける（詳しくは後述する）。
【００９１】
つまり、第１段目に属する太陽電池モジュール１は、架台本体４の長手方向における一方側から他方側（左端側から右端側）に向かって順に配置していくが、第２段目に属する太陽電池モジュール１は、架台本体４の長手方向における他方側から一方側（右端側から左端側）に向かって順に配置していく。つまり、第１段目に属する太陽電池モジュール１を設置予定位置に配置する工程と、第２段目に属する太陽電池モジュール１を設置予定位置に配置する工程では、太陽電池モジュール１を配置していく方向が逆向きとなっている。
【００９２】
第２架台本体４ｂに対する端部添板部材７への取り付けは、上記した第１架台本体４ａに対する端部添板部材７への取り付けと同様の手順であるので、重複する説明を省略する。
【００９３】
続いて、図２８で示されるように、第２段目の太陽電池モジュール１のうちで最初に設置する１つ目の太陽電池モジュール１の前端側を、第２架台本体４ｂの上側載置板部１２に上方から接触させた状態とし、後端側を第２架台本体４ｂの上面よりも上側に位置させた状態とする。
ここで、上記したように、太陽電池モジュール１の前端部は、太陽電池モジュール１の前後方向で対向する２辺のうちの片側１辺よりの端部であり、後端部は、他方側１辺よりの端部となっている。すなわち、ここでも、太陽電池モジュール１の対向する２辺のうちの片側よりに位置する端部を上側載置板部１２に上方から接触させ、その後方上側に、他方側よりに位置する端部を位置させた状態としている。このことから、太陽電池モジュール１は、設置時よりも急角度の傾斜姿勢を取った状態となっている。
【００９４】
このとき、上記した第１段目の太陽電池モジュール１の配置手順と同様に、第２段目における１つ目の太陽電池モジュール１の前端部は、上側載置板部１２のうち、台座部材２０を取り付けた部分よりも後方側であり、且つ、第２架台本体４ｂに固定した端部添板部材７から架台本体４の長手方向に離れた位置に接触させた状態とする。
【００９５】
そして、第１段目の太陽電池モジュール１の配置手順と同様に、第２段目における１つ目の太陽電池モジュール１を前方に押しつつ回動させる。このことにより、図２９で示されるように、この太陽電池モジュール１の前端面は、第２架台本体４ｂに固定した台座部材２０に後方から接触した状態となり、太陽電池モジュール１の後端部分は、第３架台本体４ｃに固定した台座部材２０に載置された状態となる。
つまり、第２段目の太陽電池モジュール１もまた、２つの架台本体４に支持された状態となり、２つの架台本体４の間に形成された空間を跨ぐように配置された状態となる。
【００９６】
この状態で、図３０で示されるように、第２段目における１つ目の太陽電池モジュール１を左右方向（架台本体４の長手方向）にスライド移動させ、この太陽電池モジュール１の側端部分（左端部分）を端部添板部材７の壁状部６６に当接させた状態とする。言い換えると、この太陽電池モジュール１を端部添板部材７に近接する方向へと移動させていき、この太陽電池モジュール１の側端部分と壁状部６６の内側面が面接触した状態とする。このことにより、第２段目における１つ目の太陽電池モジュール１が設置予定位置に配された状態となる。すなわち、第１段目のうちで最も右端側に位置する太陽電池モジュール１の後方に、第２段目における１つ目の太陽電池モジュール１が配置された状態となる。
【００９７】
この状態で第１段目に属する太陽電池モジュール１と、第２段目における１つ目の太陽電池モジュール１の間のケーブル接続作業を実施する。
【００９８】
続いて、図３１で示されるように、この太陽電池モジュール１の前方側端のうち、端部添板部材７と接触していない端部の外側（左端部よりさらに左側）に、中間添板部材６を取り付ける。
【００９９】
この第２架台本体４ｂへの中間添板部材６の取付工程は、上記した第１架台本体４ａへの中間添板部材６の取付工程と同じであるので、重複する説明を省略する。
【０１００】
このとき、図３２で示されるように、中間添板部材６に３つの太陽電池モジュール１が接触した状態となる。
すなわち、中間添板部材６の前方側（図３２では下方側）の部分は、第１段目に属する太陽電池モジュール１であり、隣接配置される２つの太陽電池モジュール１の間に位置した状態となる。このとき、片側の壁状部６６は、その前方側の部分が隣接配置される２つの太陽電池モジュール１のうちの一方の外側側面と接触しており、他方側の壁状部６６は、その前方側の部分がもう一方の太陽電池モジュール１の外側側面と接触した状態となっている。言い換えると、中間添板部材６の前方側の部分は、２つの太陽電池モジュール１によって挟まれた状態となっている。
【０１０１】
また、中間添板部材６の後方側（図３２では上方側）の部分では、片側の壁状部６６に第２段目における１つ目の太陽電池モジュール１が接触した状態となっている。
【０１０２】
このことから、第１段目における２つ目の太陽電池モジュール１（右端側に位置する太陽電池モジュール１）の後端側の部分は、第２架台本体４ｂに固定した中間添板部材６と端部添板部材７の間に位置し、これらに挟まれた状態となっている（図３１、図３２参照）。言い換えると、太陽電池モジュール１の後端側部分における側面の外側であり、太陽電池モジュール１の後端側に位置する辺（後側辺であり縁側辺）の長手方向（左右方向）における外側となる部分に、端部添板部材７、中間添板部材６が配された状態となっている。
また、第２段目における１つ目の太陽電池モジュール１の前端側の部分もまた、第２架台本体４ｂに固定した中間添板部材６と端部添板部材７の間に位置し、これらに挟まれた状態となっている（図３１、図３２参照）。
【０１０３】
この状態で、図３３で示されるように、第２段目における１つ目の太陽電池モジュール１の前方に位置する台座部材２０（図３３では図示しない）であり、第２架台本体４ｂに固定した台座部材２０に対して押さえ部材２１を固定する。
【０１０４】
すなわち、図３４、図３５で示されるように、第１段目の太陽電池モジュール１と、第２段目の太陽電池モジュール１の間に形成される隙間部分に、押さえ部材２１の下方側の部分を挿通し、押さえ部材２１の底板部４３を台座部材２０の上板部３１に載置させた状態とする。そして、押さえ部材２１の天面側取付孔５３、底側取付孔５４、台座部材２０の取付用孔３５、第１架台本体４ａの取付孔部１７に形成された取付孔を上下方向で重ねた状態し、これらにボルト等の締結要素を挿通することで、押さえ部材２１、台座部材２０、第２架台本体４ｂを一体に固定する。
【０１０５】
このとき、押さえ部材２１の後方押板部４７の下方には、上記したように、太陽電池モジュール１の前端側部分を挿入可能な前側保持凹部７３が形成された状態となる。そして、第２段目の太陽電池モジュール１の前端側の部分が前側保持凹部７３に嵌め込まれた状態となる。
【０１０６】
さらに、押さえ部材２１の前方押板部４１及び前側立壁部４４、台座部材２０の台座本体部２５によって囲まれた部分には、太陽電池モジュール１の後端側部分を挿入可能な後側保持凹部７４（第２保持凹部）が形成された状態となる。言い換えると、前方押板部４１の下方であり、前側立壁部４４の前方であり、さらに台座本体部２５の上面より上方に位置する空間に、太陽電池モジュール１の後端側部分が挿入された状態となる。
【０１０７】
このように、太陽電池モジュール１の後端側部分が後側保持凹部７４に嵌め込まれた状態では、太陽電池モジュール１の後端側部分は、台座本体部２５の上に載置され、前方押板部４１によって上方から押さえつけられた状態となっている。このとき、太陽電池モジュール１の後端面は、前側立壁部４４の前端面と接触した状態となっている。
【０１０８】
このことにより、第１段目に属する太陽電池モジュール１のうち、最も右端よりに位置する太陽電池モジュール１の後端側部分が、第２架台本体４ｂに固定された状態となる。
【０１０９】
ここで、この太陽電池モジュール１の前端側の部分は、上記したように、第１架台本体４ａに固定された中間添板部材６と端部添板部材７に挟まれると共に、台座部材２０及び押さえ部材２１によって第１架台本体４ａに固定された状態となっている（図３３等参照）。すなわち、太陽電池モジュール１の前端側の部分が前側保持凹部７３に挿入された状態で第１架台本体４ａに固定されている（図２３等参照）。
そして、この太陽電池モジュール１の後端側の部分もまた、上記したように、第２架台本体４ｂに固定された中間添板部材６と端部添板部材７に挟まれ（図３１等参照）、台座部材２０及び押さえ部材２１によって第２架台本体４ｂに固定された状態となっている。すなわち、太陽電池モジュール１の後端側の部分が後側保持凹部７４に挿入された状態で第２架台本体４ｂに固定されている（図３５等参照）
つまり、太陽電池モジュール１の前端側の部分が第１架台本体４ａに固定され、後端側の部分が第２架台本体４ｂに固定されることで、太陽電池モジュール１が２つの架台本体４に固定された状態となる。
【０１１０】
ところで、図３５で示されるように、太陽電池モジュール１を上方から押圧する後方押板部４７の上方には傾斜板部４８が位置しており、その上面が後方に向かうにつれて高さが低くなる傾斜面となっている。言い換えると、前側保持凹部７３が保持する太陽電池モジュール１の縁端側から中央側へ向かって高さが低くなる傾斜面となっている。このことにより、前方側（図３５では左側）の上方に太陽が位置した状態で太陽光が照射されたとき、押さえ部材２１の影が、前側保持凹部７３が保持する太陽電池モジュール１のセル部分（太陽電池パネル８の部分）にかかり難い構造とすることができる。
【０１１１】
具体的に説明すると、本実施形態では、低位置で保持する後側の太陽電池モジュール１の前端部（図３５では右側の太陽電池モジュール１）と隣接する位置に、一部がこの端部より高位置に配される押さえ部材２１や、この端部より高位置に配される前側の太陽電池モジュール１の端部（図３５では左側の太陽電池モジュール１）が位置した状態となっている。このことにより、後方側（図３５では右側）に太陽が位置した状態では問題ないが、前方側（図３５では左側）の上方に太陽が位置した状態では、後方に向かって延びる前側の太陽電池モジュール１や押さえ部材２１の影が後側の太陽電池モジュール１のセル部分まで延びてしまう可能性がある。
【０１１２】
そこで、本実施形態では、太陽電池モジュール１のフレーム９を押圧する後方押板部４７の上方部分に傾斜面を形成することで、前方側（図３５では左側）の上方に太陽が位置したとき、太陽と太陽電池モジュール１の前端側に位置するセル部分（太陽電池パネル８の部分）の間に極力影を形成する部分を配さない構造としている。すなわち、前側保持凹部７３が保持する太陽電池モジュール１のセル部分（太陽電池パネル８の部分）に影がかかり難い構造としている。このことにより、セル部分に影がかかってしまうことに起因する出力低下を防止可能となっている。
【０１１３】
続いて、第２段目における１つ目の太陽電池モジュール１と隣接する位置に、第２段目における２つ目の太陽電池モジュール１を配置する（図３６参照）。
すなわち、上記した１つ目の太陽電池モジュール１同様に、太陽電池モジュール１を第２架台本体４ｂに取り付けた中間添板部材６から離れた位置で回動させ、その後に中間添板部材６に近接する方向（右端に向かう方向）にスライド移動させることにより、設置予定位置に配置する。なお、回動からスライド移動に至る具体的な手順は、上記した１つ目の太陽電池モジュール１等と同様であるため、詳細な説明を省略する。
このことにより、第２段目の太陽電池モジュール１が全て設置予定位置に配された状態となる。
【０１１４】
この状態で、図３６で示されるように、第２段目における２つ目の太陽電池モジュール１の前方に位置する台座部材２０（図３６では図示しない）であり、第２架台本体４ｂに固定した台座部材２０に対して押さえ部材２１を固定する。さらに、第２架台本体４ｂに２つ目の端部添板部材７を固定する。すなわち、第２架台本体４ｂの長手方向における両端部のうち、第２段目における１つ目の太陽電池モジュール１の設置前に固定した端部添板部材７が位置する端部とは異なる端部（左端側）の近傍に、端部添板部材７を固定する。
このことにより、第１段目のそれぞれの太陽電池モジュール１の後端側の部分と、第２段目の太陽電池モジュール１のそれぞれの前端側の部分が全て第２架台本体４ｂに固定された状態となる。
【０１１５】
さらに、図３７で示されるように、第２段目の太陽電池モジュール１の後端側に位置する。第３架台本体４ｃに中間添板部材６と端部添板部材７を固定し、第３架台本体４ｃに固定された台座部材２０（図３７では図示しない）に押さえ部材２１を固定する。このことにより、第２段目の太陽電池モジュール１のそれぞれの後端側の部分が全て第３架台本体４ｃに固定された状態となり、太陽電池モジュール１の取り付けが完了する。この状態で、第２段目の太陽電池モジュール１の間のケーブル接続作業や、架台本体４へのアース線取り付け作業を実施することで、本実施形態の太陽電池モジュール１の取付構造が構築される。
【０１１６】
このとき、図３８で示されるように、第２架台本体４ｂに固定した中間添板部材６には、４つの太陽電池モジュール１が接触した状態となっている。すなわち、中間添板部材６の前方側（図３８では下方側）の部分は、第１段目に属する太陽電池モジュール１であり、隣接配置される２つの太陽電池モジュール１の間に位置した状態となる。さらに、中間添板部材６の後方側（図３８では上方側）の部分は、第２段目に属する太陽電池モジュール１であり、隣接配置される２つの太陽電池モジュール１の間に位置した状態となる。
【０１１７】
すなわち、全ての太陽電池モジュール１の前端側の部分が、中間添板部材６と端部添板部材７に挟まれると共に、前側保持凹部７３に保持された状態（図２３、図３４等参照）となっている。また、全ての太陽電池モジュール１の後端側の部分が、中間添板部材６と端部添板部材７に挟まれると共に、後側保持凹部７４に保持された状態（図３４等参照）となっている。このことにより、それぞれの太陽電池モジュール１が２つの架台本体４に強固に固定された状態となっている。
【０１１８】
このように太陽電池モジュール１を固定すると、１つの太陽電池モジュール１を故障等の理由で交換する場合、対象となる太陽電池モジュール１を固定するための押さえ部材２１、中間添板部材６、端部添板部材７を取り外すだけで、太陽電池モジュール１の取り外しが可能となる。すなわち、対象外の太陽電池モジュール１を取り外すことなく、所定の太陽電池モジュール１のみの取り外しが可能となるので、メンテナンス時等における太陽電池モジュール１の取り外し作業を容易に実施できる。
【０１１９】
上記した実施形態では、４つの太陽電池モジュール１を２行２列に並列させて取り付ける例を示したが、本発明の太陽電池モジュール設置架台を使用した太陽電池モジュール１の取付構造はこれに限るものではない。
例えば、架台本体４の数を増やして３段目以降の太陽電池モジュール１を取り付けてもよく、各段の太陽電池モジュール１の数を変更してもよい。すなわち、第１段目に属する太陽電池モジュール１として、１つのみの太陽電池モジュール１を取り付けてもよく、３以上の太陽電池モジュール１を取り付けてもよい。
また、各段の太陽電池モジュール１を１つのみとする場合、その前端側部分や後端側部分を中間添板部材６と端部添板部材７でなく、２つの端部添板部材７で挟んだ状態で固定してもよい。対して、各段の太陽電池モジュール１を３つ以上とする場合、中央側に位置する太陽電池モジュール１を２つの中間添板部材６で挟んだ状態で固定してもよい。
【０１２０】
また、複数の架台本体４を左右方向（それぞれの架台本体４の長手方向）で並列するように配置し（図３９参照）、その上に太陽電池モジュール１を固定してもよい。
このとき、図４０で示されるように、長手方向における端部同士が近接するように隣接配置される２つの架台本体４の境界部分に中間添板部材６を取り付け、中間添板部材６の一方の取付脚部６１を片側の架台本体４に固定し、他方の取付脚部６１をもう一方の架台本体４に固定してもよい。このように中間添板部材６を取り付けることで、２つの架台本体４の間の導通を確保することができる。言い換えると、中間添板部材６を２つの架台本体４を導通させるための導通部材として機能させることができる。このように、中間添板部材６を取り付ける事で、アース配線の取付作業等の簡略化が可能となる。
【０１２１】
続いて、上記した実施形態とは異なる形態の架台１０３について、図４１乃至図４３を参照しつつ詳細に説明する。なお、上記した実施形態と同様の部分については、同じ符号を付し、重複する説明を省略する。
【０１２２】
本実施形態の架台１０３は、図４１で示されるように、長尺状の架台本体１０４と押さえ部材１２１を備えた構造となっている。
【０１２３】
架台本体１０４は、下側取付板部１０と、下側取付板部１０の短手方向における一端側を上方に折り曲げて形成される立板状の背面板部１０７と、背面板部１０７の上端を前方に折り曲げて形成される第１平板部１０８（第１載置部）と、第１平板部１０８の前端を上方に折り曲げて形成される壁状部１０９（当接壁部）と、壁状部１０９の上端を前方に折り曲げて形成される上側載置板部１１２と、上側載置板部１１２の前端を下方に折り曲げて形成される垂下板部１１３を備えた構造となっている。
【０１２４】
第１平板部１０８の上面と上側載置板部１１２の上面は、段差を介して連続しており、第１平板部１０８の上面は、上側載置板部１１２の上面よりも低位置に配された状態となっている。すなわち、架台本体１０４の上面では、その後方側の部分に（図４１では手前側）、前方側の部分よりも上端面の位置が低くなる窪み状の部分が形成された状態となっている。
【０１２５】
また、上側載置板部１１２には、架台本体１０４長手方向（左右方向）で所定の間隔を空けた複数個所に固定用孔１１７が形成されている。この固定用孔１１７は、上側載置板部１１２を厚さ方向（上下方向）に貫通する貫通孔となっている。
【０１２６】
押さえ部材１２１は、図４２で示されるように、平板状の底板部１４３と、底板部１４３の短手方向における一端側を上方に折り曲げて形成される前側立壁部１４４と、底板部１４３の短手方向における他端側を上方に折り曲げて形成される後側立壁部１４５と、前側立壁部１４４の上端を外側（前方）へ折り曲げて形成される前方押板部１４６（第２押圧板部）と、後側立壁部１４５の上端を外側（後方）へ折り曲げて形成される後方押板部１４７（第１押圧板部）を備えた構造となっている。
【０１２７】
底板部１４３の左右方向（図４２（ｂ）では上下方向）の中心近傍には、底板部１４３を厚さ方向（上下方向）に貫通する固定用孔１４８が設けられている。
【０１２８】
ここで、前側立壁部１４４と後側立壁部１４５は、前後方向で離れた位置にそれぞれ設けられており、その内側面同士が離間対向した状態となっている。そして、前側立壁部１４４の高さは、後側立壁部１４５の高さよりも高くなっている。このため、前方押板部１４６は、後方押板部１４７よりも高位置に配された状態となっている。前方押板部１４６と後方押板部１４７は、いずれも平板状の部分であり、上下方向に対して略垂直な方向に突出している。より詳細には、前方押板部１４６が前方へ、後方押板部１４７が後方へそれぞれ突出しており、前方押板部１４６と後方押板部１４７は、互いに離れる方向へ突出した状態となっている。
【０１２９】
この架台１０３においても、図４３で示されるように、架台本体１０４の前方側（図４３では左側）に位置する太陽電池モジュール１の後端側部分と、後方側（図４３では右側）に位置する太陽電池モジュール１の前端側部分とを、異なる高さで保持可能となっている。
【０１３０】
より詳細には、前方側に位置する太陽電池モジュール１の後端側部分を上側載置板部１１２の前方側の部分に載置し、後方側に位置する太陽電池モジュール１の前端側部分を第１平板部１０８に載置した状態で、押さえ部材１２１を架台本体１０４に固定する。すなわち、押さえ部材１２１の底板部１４３を上側載置板部１１２の後方よりの部分に載置し、底板部１４３の固定用孔１４８と上側載置板部１１２の固定用孔１１７を重ね合わせ、これらにボルト等の締結要素を挿通する。このことにより、押さえ部材１２１を架台本体１０４に一体に固定する。
【０１３１】
このとき、押さえ部材１２１の後方押板部１４７の下方には、太陽電池モジュール１の前端側部分を挿入可能な前側保持凹部１７３（第１保持凹部）が形成された状態となる。より具体的には、押さえ部材１２１の後方押板部１４７及び後側立壁部１４５、架台本体１０４の壁状部１０９及び第１平板部１０８によって囲まれた部分に、太陽電池モジュール１の前端側部分を挿入可能な前側保持凹部１７３が形成された状態となる。つまり、後方押板部１４７の下方であり、後側立壁部１４５及び壁状部１０９の後方であり、さらに第１平板部１０８の上方に位置する空間に、太陽電池モジュール１の前端側部分が挿入された状態となる。
【０１３２】
さらに、押さえ部材１２１の前方押板部１４６及び前側立壁部１４４と、上側載置板部１１２の前方側の部分によって囲まれた部分には、太陽電池モジュール１の後端側部分を挿入可能な後側保持凹部１７４（第２保持凹部）が形成された状態となる。言い換えると、前方押板部１４６の下方であり、前側立壁部１４４の前方であり、さらに上側載置板部１１２の前方側部分の上面より上方に位置する空間に、太陽電池モジュール１の後端側部分が挿入された状態となる。
【０１３３】
ここで、太陽電池モジュール１の後端側の部分は、上側載置板部１１２の前方側部分の上面に載置された状態となっている。言い換えると、上側載置板部１１２の前方側部分が太陽電池モジュール１の後端側を載置するための第２載置部１２９として機能する構造となっている。
【０１３４】
なお、説明を省略したが、この架台１０３においても、上記した実施形態と同様に、太陽電池モジュール１の前端側を壁状部１０９に当接するまで前方へ移動させつつ、太陽電池モジュール１の後端側を下方へ移動させることで回動させ、その後に架台本体１０４の長手方向に沿って太陽電池モジュール１をスライド移動させることで、太陽電池モジュール１の配置予定位置への設置が可能となっている。すなわち、この架台１０３は、上記した架台３と同様の取り付け手順で太陽電池モジュール１の取り付けが可能となっている。
【０１３５】
上記した各実施形態では、太陽電池モジュール１の４辺のうちで長辺となる部分を前端側及び後端側に配し、太陽電池モジュール１の長辺側に位置する縁端側部分を前側保持凹部７３，１７３、又は後側保持凹部７４，１７４に保持させる例を示した。しかしながら、本発明はこれに限るものではない。
すなわち、太陽電池モジュール１の４辺のうちで短辺となる部分を前端側及び後端側に配し、太陽電池モジュール１の短辺側に位置する縁端側部分を前側保持凹部７３，１７３、又は後側保持凹部７４，１７４に保持させても構わない。つまり、太陽電池モジュールの縁端側部分のうち、前側保持凹部７３，１７３、又は後側保持凹部７４，１７４に保持される縁端側部分に位置する辺（縁端辺）は、太陽電池モジュール１の長辺であってもよく短辺であってもよい。
【符号の説明】
【０１３６】
１  太陽電池モジュール
３，１０３  架台（太陽電池モジュール設置架台）
４，１０４  架台本体
６  中間添板部材（添板部材）
７  端部添板部材（添板部材）
２０  台座部材
２２  第１載置部
２９，１２９  第２載置部
２１，１２１  押さえ部材
３２  板状脚部（当接壁部）
４１，１４６  前方押板部（第２押圧板部）
４７，１４７  後方押板部（第１押圧板部）
７３，１７３  前側保持凹部（第１保持凹部）
７４，１７４  後側保持凹部（第２保持凹部）
１０８  第１平板部（第１載置部）
１０９  壁状部（当接壁部）
【図１】
0006574597.tif 000002
【図２】
0006574597.tif 000003
【図３】
0006574597.tif 000004
【図４】
0006574597.tif 000005
【図５】
0006574597.tif 000006
【図６】
0006574597.tif 000007
【図７】
0006574597.tif 000008
【図８】
0006574597.tif 000009
【図９】
0006574597.tif 000010
【図１０】
0006574597.tif 000011
【図１１】
0006574597.tif 000012
【図１２】
0006574597.tif 000013
【図１３】
0006574597.tif 000014
【図１４】
0006574597.tif 000015
【図１５】
0006574597.tif 000016
【図１６】
0006574597.tif 000017
【図１７】
0006574597.tif 000018
【図１８】
0006574597.tif 000019
【図１９】
0006574597.tif 000020
【図２０】
0006574597.tif 000021
【図２１】
0006574597.tif 000022
【図２２】
0006574597.tif 000023
【図２３】
0006574597.tif 000024
【図２４】
0006574597.tif 000025
【図２５】
0006574597.tif 000026
【図２６】
0006574597.tif 000027
【図２７】
0006574597.tif 000028
【図２８】
0006574597.tif 000029
【図２９】
0006574597.tif 000030
【図３０】
0006574597.tif 000031
【図３１】
0006574597.tif 000032
【図３２】
0006574597.tif 000033
【図３３】
0006574597.tif 000034
【図３４】
0006574597.tif 000035
【図３５】
0006574597.tif 000036
【図３６】
0006574597.tif 000037
【図３７】
0006574597.tif 000038
【図３８】
0006574597.tif 000039
【図３９】
0006574597.tif 000040
【図４０】
0006574597.tif 000041
【図４１】
0006574597.tif 000042
【図４２】
0006574597.tif 000043
【図４３】
0006574597.tif 000044